(57)【要約】【課題】蒸しパンや白パンを簡単・上手につくることができるパン製造機を提供する。【解決手段】内部に焼成庫１ａを有する製品本体１と、焼成庫１ａに備えられたヒーター７と、焼成庫１ａに着脱自在に収容される第一のパン容器２と、第一のパン容器２の内底面に回転自在に設けられた混練羽根（図示せず）と、混練羽根を回転駆動する電動機４と、第一のパン容器２に着脱自在に装着される第二のパン容器８と、焼成庫１ａを開閉自在に覆う蓋１３とを備えたもので、水を入れた第一のパン容器２に、パン生地を入れた第二のパン容器８を装着して運転すれば、第一のパン容器２内の水がヒーター７の熱で沸騰蒸発し、焼成庫１ａ内の湿度があがり高湿度状態でパン生地が加熱・焼成されるので、蒸しパンや白パンを簡単・上手につくることができる。【選択図】図２
2010252826.tif 000002
【特許請求の範囲】
【請求項１】
内部に焼成庫を有する製品本体と、前記焼成庫を開閉自在に覆う蓋と、前記焼成庫に備えられた加熱手段と、前記焼成庫に着脱自在に収容される第一のパン容器と、前記第一のパン容器の内底面に回転自在に設けられた混練羽根と、前記混練羽根を回転駆動する電動機と、前記第一のパン容器に着脱自在に装着される第二のパン容器を備えたパン製造機。
【請求項２】
第二のパン容器の側面上部に横孔を設けた請求項１に記載のパン製造機。
【請求項３】
第二のパン容器の上端にフランジを形成し、そのフランジに縦孔を設けた請求項１又は２に記載のパン製造機。
【発明の詳細な説明】
【技術分野】
【０００１】
本発明は、小麦粉、水、イ−ストなどのパン材料を混練・醗酵・焼成しパンをつくるパン製造機に関するものである。
【背景技術】
【０００２】
従来のこの種のパン製造機として図６に示されるようなものがあった（例えば、特許文献１参照）。図６は、前記特許文献１に記載された従来のパン製造機の断面図である。
【０００３】
図６において、従来のパン製造機は、製品本体１０１内のパン容器１０２に小麦粉、水、イ−ストなどのパン材料を入れる。パン材料は、制御部１０３により電動機１０４が運転し、混練羽根１０５が回転することにより混練されパン生地になり、できたパン生地は制御部１０３によりヒータ−１０６が発熱し、醗酵、焼成がおこなわれパンができあがるようになっている。
【先行技術文献】
【特許文献】
【０００４】
【特許文献１】特開２００１−２５８７４９号公報
【発明の概要】
【発明が解決しようとする課題】
【０００５】
しかしながら、前記従来のパン製造機の構成では、パン材料にはじめから加えられた水分のみで加湿手段を有さないため、高湿度状態で加熱・焼成することによりできる蒸しパンや、外皮の色が白く柔らかい白パンをつくることができないという課題を有していた。
【０００６】
本発明は、前記従来の課題を解決するもので、蒸しパンや白パンを簡単・上手につくることができるパン製造機を提供することを目的とする。
【課題を解決するための手段】
【０００７】
前記従来の課題を解決するため、本発明のパン製造機は、内部に焼成庫を有する製品本体と、前記焼成庫を開閉自在に覆う蓋と、前記焼成庫に備えられた加熱手段と、前記焼成庫に着脱自在に収容される第一のパン容器と、前記第一のパン容器の内底面に回転自在に設けられた混練羽根と、前記混練羽根を回転駆動する電動機と、前記第一のパン容器に着脱自在に装着される第二のパン容器を備えたもので、水を入れた第一のパン容器に、パン生地を入れた第二のパン容器を装着して運転すれば、第一のパン容器内の水が加熱手段の熱で沸騰蒸発し、焼成庫内の湿度があがり高湿度状態でパン生地が加熱・焼成されるので、誰でも蒸しパンや、外皮の色が白く柔らかい白パンを簡単にしかも上手につくることができる。
【発明の効果】
【０００８】
本発明のパン製造機は、高温高湿状態、いわゆるスチ−ム加熱によりパン生地の焼成ができるため、蒸しパンや、外皮の色が白く柔らかい白パンを簡単につくることができる。
【図面の簡単な説明】
【０００９】
【図１】本発明の実施の形態１におけるパン製造機の、第二のパン容器を装着する前の状態を示す断面図
【図２】同パン製造機の、同第二のパン容器を装着した状態を示す断面図
【図３】同パン製造機の第一のパン容器と第二のパン容器の断面図
【図４】同第一のパン容器と第二のパン容器の斜視図
【図５】同パン製造機のパンの製造工程図
【図６】従来のパン製造機の断面図
【発明を実施するための形態】
【００１０】
第１の発明は、内部に焼成庫を有する製品本体と、前記焼成庫を開閉自在に覆う蓋と、前記焼成庫に備えられた加熱手段と、前記焼成庫に着脱自在に収容される第一のパン容器と、前記第一のパン容器の内底面に回転自在に設けられた混練羽根と、前記混練羽根を回転駆動する電動機と、前記第一のパン容器に着脱自在に装着される第二のパン容器を備えたもので、水を入れた第一のパン容器に、パン生地を入れた第二のパン容器を装着して運転すれば、第一のパン容器内の水が加熱手段の熱で沸騰蒸発し、焼成庫内の湿度があがり高湿度状態でパン生地が加熱・焼成されるので、誰でも蒸しパンや、外皮の色が白く柔ら
かい白パンを簡単にしかも上手につくることができる。
【００１１】
第２の発明は、特に、第１の発明の第二のパン容器の側面上部に横孔を設けたもので、第二のパン容器に収容されたパン生地の天面側に効率良く発生した蒸気を導くことができ、パンの天面の温度が上がり天面に焼き色が付きパンの外皮が硬くなることを防ぐことができる。
【００１２】
第３の発明は、特に、第１又は第２の発明の第二のパン容器の上端にフランジを形成し、そのフランジに縦孔を設けたもので、第二のパン容器に収容されたパン生地の天面側に効率良く発生した蒸気を導くことができ、パンの天面の温度が上がり天面に焼き色が付きパンの外皮が硬くなることを防ぐことができる。
【００１３】
以下、本発明の実施の形態について、図面を参照しながら説明する。なお、この実施の形態によって本発明が限定されるものではない。
【００１４】
（実施の形態１）
図１は、本発明の実施の形態１におけるパン製造機の、第二のパン容器を装着する前の状態を示す断面図、図２は、同パン製造機の、同第二のパン容器を装着した状態を示す断面図、図３は、同パン製造機の第一のパン容器と第二のパン容器の断面図、図４は、同第一のパン容器と第二のパン容器の斜視図、図５は、同パン製造機のパンの製造工程図である。
【００１５】
図１〜図５において、本実施の形態におけるパン製造機の製品本体１は、焼成庫１ａと、焼成庫１ａに着脱自在に装着される第一のパン容器２と、第一のパン容器２の底部に回転自在に取り付けられた混練羽根６と、混練羽根６を減速機構５を介して回転駆動する電動機４と、焼成庫１ａ内を加熱する加熱手段としてのヒーター７と、電動機４やヒーター７への通電を制御する制御部３と、焼成庫１ａを開閉自在に覆う蓋１３を備えている。８は、第一のパン容器２に着脱自在に装着される第二のパン容器である。
【００１６】
以上のように構成された本実施の形態におけるパン製造機の動作、作用は、以下の通りである。
【００１７】
最初に、第一のパン容器２に、小麦粉、水、イ−ストなどのパン材料を入れる（図１の状態）。パン材料は、制御部３により電動機４が運転し、減速機構５により減速された動力で混練羽根６が回転する。その混練羽根６の回転動力で、パン材料は混練されパン生地になる。できたパン生地は、制御部３によりヒータ−７が発熱し、焼成庫１ａ内の温度が調節され醗酵をおこなう。パン生地は、混練羽根６が回転することで、途中、ガス抜きをおこない成形発酵の前までおこなう。ここまでの製パン工程は、前述した従来のパン製造機と同じである。
【００１８】
本実施の形態では、次に、成形発酵の前段階まで終わった時点で、第一のパン容器２内のパン生地を取り出し、第二のパン容器８に移し変える。そして、第一のパン容器２内に所定の水を入れ、第二のパン容器８を、第一のパン容器２内にセットして製品本体１内に再び戻す（図２の状態）。その後、制御部３によりヒーター７が発熱し、焼成庫１ａ内の温度が調節され成形醗酵→焼成のパン製造工程をおこないパンが出来上がる。
【００１９】
本実施の形態では、焼成工程において、第一のパン容器２内の水が沸騰蒸発するため製品本体１内は高温高湿状態となりスチ−ム加熱状態となる。したがって蒸しパンや、外皮の色が白く柔らかい白パンをつくることができる。
【００２０】
また、第二のパン容器８は、第一のパン容器２に内設されているので、第二のパン容器８の外壁は、直下で沸騰する水蒸気で覆われることとなり、ヒーター７の加熱熱量が多少変動しても、パンの外皮の焼き色がつきすぎるような温度になることはなく、簡単・上手に蒸しパンや白パンをつくることができる。
【００２１】
また、本実施の形態では、第二のパン容器８の側面上部には、複数の横孔９が設けられている。これにより、第二のパン容器８に収容されたパン生地の天面側に、発生した蒸気を効率的に導くことができ、パンの天面の温度が上がり天面に焼き色が付きパンの外皮が硬くなることを防ぐことができる。
【００２２】
更に、本実施の形態では、第二のパン容器８の上端にフランジ１１を形成し、そのフランジ１１には縦孔１０が設けられている。これにより、第二のパン容器８に収容されたパン生地の天面側に、発生した蒸気を効率よく導くことができ、パンの天面の温度が上がり天面に焼き色が付きパンの外皮が硬くなることを防ぐことができる。
【産業上の利用可能性】
【００２３】
以上のように、本発明にかかるパン製造機は、第一のパン容器に着脱自在に装着される第二のパン容器を備え、第一のパン容器に水を入れ、第二のパン容器にパン生地を入れて加熱手段で加熱をおこなうもので、第一のパン容器内の水が加熱手段の熱で沸騰蒸発するため焼成庫内の湿度があがり高湿度状態でパン生地を加熱・焼成することができるためパン以外のお菓子、ケ−キ作りなどの用途にも適用可能である。
【符号の説明】
【００２４】
１  製品本体
１ａ  焼成庫
２  第一のパン容器
４  電動機
６  混練羽根
７  ヒーター（加熱手段）
８  第二のパン容器
９  横孔
１０  縦孔
１１  フランジ
１３  蓋
【図１】
2010252826.tif 000003
【図２】
2010252826.tif 000004
【図３】
2010252826.tif 000005
【図４】
2010252826.tif 000006
【図５】
2010252826.tif 000007
【図６】
2010252826.tif 000008